(57)【要約】【課題】天井に取り付ける照明器具において設置および移設を容易に行うとともに意匠性を向上することのできる照明器具およびその設置方法を提供する。【解決手段】構造部材１１から吊下げられている格子状の天井フレーム１３に、吊具１４を介して天井バー１５を設け、天井バー１５に天井パネル１６を取り付けて構成される天井１７に照明器具１０を取り付ける際に、照明器具１０の取付プレート２３を天井バー１５間隔に対応した大きさとしたので、天井パネル１６の代わりに取付プレート２３を天井バー１５に取付けることができる。このため、容易に照明器具１０を移設することができ、部屋の用途に合わせた自由な照明配置にすることができる。また、取付プレート２３は、取付具２６により強度および剛性の高い天井フレーム１３に取付けられるので、確実に照明器具１０を取付けることができる。【選択図】図２
2009289439.tif 000002
【特許請求の範囲】
【請求項１】
構造部材から吊下げられている格子状の天井フレームに、吊具を介して天井バーを設け、前記天井バーに天井パネルを取り付けて構成される天井に取り付ける照明器具であって、
光源を有する灯体を前記天井に取り付けるために、前記天井バー間隔に対応した大きさの取付プレートを設け、
前記取付プレートを前記天井フレームに取り付ける取付具を前記取付プレートに設けたことを特徴とする照明器具。
【請求項２】
前記天井パネルに取り付けられた空調装置の吸込み口および噴出し口と干渉しないように前記取付プレートを取付けることを特徴とする請求項１記載の照明器具。
【請求項３】
請求項１または２記載の照明器具を天井に取付ける照明器具の設置方法であって、
複数の前記照明器具を長手方向に所定の隙間を設けて配置するとともに、当該隙間が前記天井バーの下方に位置するように前記照明器具を配置することを特徴とする照明器具の設置方法。
【請求項４】
長手方向に隣り合う前記照明器具の間に、連結具を着脱可能に設けることを特徴とする請求項３に記載の照明器具の設置方法。
【発明の詳細な説明】
【技術分野】
【０００１】
本発明は、梁等の構造部材から吊下げられている天井に取り付けられる照明器具およびその設置方法に関するものである。
【背景技術】
【０００２】
図８に示すように、従来の吊下げ型の天井に取り付けられている照明器具１００では、構造物である躯体スラブ１０１に固定係止具１０２を埋め込み、この固定係止具１０２に吊下げ用のワイヤ１０３を取り付けて灯体１０４を吊下げている。躯体スラブ１０１には、吊りボルト（図示省略）を介して格子状に組まれた天井支持骨材１０５が取り付けられており、この天井支持骨材１０５に天井１０６が取り付けられている。従って、照明器具１００を取り付ける位置には、天井１０６に照明取付用開口部１０７が設けられており、この開口部１０７にワイヤ１０３で吊下げられた灯体１０４が固定されている（例えば特許文献１参照）。
【特許文献１】特開平７−２４０１０９号公報（第１図）
【発明の開示】
【発明が解決しようとする課題】
【０００３】
しかしながら、前述したような照明器具１００においては、ワイヤ１０３等で躯体スラブ１０１に吊下げるため、照明器具１００の設置位置を決定した後、天井１０６に開口部１０７を設けて、この開口部１０７に照明器具１００を取り付けている。従って、照明器具１００の移設の際には、新たな取付位置の天井に開口部１０７を設けるとともに、躯体スラブ１０１にワイヤ１０３を取付なければならないため、移設が困難であり、部屋の用途に合わせた自由な照明配置にすることができないという問題があった。
【０００４】
本発明は、従来の問題を解決するためになされたもので、天井に取り付ける照明器具において設置および移設を容易に行うとともに意匠性を向上することのできる照明器具およびその設置方法を提供することを目的とする。
【課題を解決するための手段】
【０００５】
本発明の照明器具は、構造部材から吊下げられている格子状の天井フレームに、吊具を介して天井バーを設け、前記天井バーに天井パネルを取り付けて構成される天井に取り付ける照明器具であって、光源を有する灯体を前記天井に取り付けるために、前記天井バー間隔に対応した大きさの取付プレートを設け、前記取付プレートを前記天井フレームに取り付ける取付具を前記取付プレートに設けた構成を有している。
【０００６】
この構成により、構造部材から吊下げられている格子状の天井フレームに、吊具を介して天井バーを設け、天井バーに天井パネルを取り付けて構成される天井に照明器具を取り付ける際に、照明器具の取付プレートを天井バー間隔に対応した大きさとしたので、天井パネルの代わりに取付プレートを天井バーに取付けることができる。このため、容易に照明器具を移設することができ、部屋の用途に合わせた自由な照明配置にすることができる。また、取付プレートは、取付具により強度および剛性の高い天井フレームに取付けられるので、確実に照明器具を取付けることができる。
【０００７】
また、本発明の照明器具は、前記天井パネルに取り付けられた空調装置の吸込み口および噴出し口と干渉しないように前記取付プレートを取付ける構成を有している。
【０００８】
この構成により、照明器具が空調装置と干渉しないので、空調装置の機能を害するのを回避することができる。
【０００９】
また、本発明の照明器具は、前述した照明器具を天井に取付ける照明器具の設置方法であって、複数の前記照明器具を長手方向に所定の隙間を設けて配置するとともに、当該隙間が前記天井バーの下方に位置するように前記照明器具を配置する構成を有している。
【００１０】
この構成により、複数の照明器具を長手方向に配置する際に、長手方向に隣接する照明器具間に隙間を設け、この隙間が天井バーの下方に位置するようにしたので、部屋を仕切って使用する際に、間仕切を隙間位置に設けることにより、間仕切を天井面まで設けることができるとともに、間仕切の上端を天井バーに固定することができる。
【００１１】
さらに、本発明の照明器具は、長手方向に隣り合う前記照明器具の間に、連結具を着脱可能に設ける構成を有している。
【００１２】
この構成により、照明器具の端部同士を連結具によって覆うことにより、複数の照明器具を直線に連結することができ、意匠性が向上する。
【発明の効果】
【００１３】
本発明は、構造部材から吊下げられている格子状の天井フレームに、吊具を介して天井バーを設け、天井バーに天井パネルを取り付けて構成される天井に照明器具を取り付ける際に、照明器具の取付プレートを天井バー間隔に対応した大きさとしたので、天井パネルの代わりに取付プレートを天井バーに取付けることができる。このため、容易に照明器具を移設することができ、部屋の用途に合わせた自由な照明配置にすることができる。また、取付プレートは、取付具により強度および剛性の高い天井フレームに取付けられるので、確実に照明器具を取付けることができるという効果を有する照明器具を提供することができるものである。
【発明を実施するための最良の形態】
【００１４】
以下、本発明の照明器具およびその設置方法の実施の形態について、図面を用いて説明する。
図１は本発明の実施形態にかかる照明器具およびその設置方法を示す斜視図、図２（Ａ）は照明器具の斜視図、図２（Ｂ）は照明器具の取付部を示す長手方向断面図、図２（Ｃ）は照明器具の取付部を示す幅方向断面図、図３（Ａ）は空調装置位置の照明器具の斜視図、図３（Ｂ）は同じく下方から見た正面図、図３（Ｃ）は同じく照明器具の概略断面図である。
【００１５】
図１および図２に示すように、本発明の実施形態にかかる照明器具１０は、構造部材である梁１１から吊りボルト１２を介して吊下げられている格子状の天井フレーム１３に、吊具１４を介して天井バー１５を設け、天井バー１５に天井パネル１６を取り付けて構成されるいわゆるシステム天井（以後、単に「天井」と言う。）１７に取り付けて使用される。
【００１６】
照明器具１０は、下方が開口した矩形箱状の灯体本体２２の内部に、光源である蛍光ランプ２１が着脱可能に取付けられる灯体２０を有しており、灯体２０は、天井１７に取り付けられる取付プレート２３から支持ポスト２４によって吊下げられている。支持ポスト２４の内部には、蛍光ランプ２３に電力を供給する電源線２５ａが配線されており、取付プレート２３の上に設けられている電源線端子台２５ｂを介して、商用電源に接続する電源線２５ｃに接続されている。
【００１７】
取付プレート２３は、天井バー１５の間隔に対応した大きさをしており、長手方向の両端部２３ａは、天井バー１５の側面まで達している。一方、取付プレート２３の幅方向サイズは、通常、天井バー１５間隔よりも小さいので、幅方向端部２３ｂは天井パネル１６に凹部１６ａを設けて、取付プレート２３の下面と天井パネル１６の下面とが、同一面となるようにする。
【００１８】
取付プレート２３の長手方向端部２３ａの上面には、天井フレーム１３に引っ掛けて支持するための金属製の取付具２６が、上方に突出して設けられている。取付具２６の上端２６ａは、天井フレーム１３の高さ位置に合わせてＬ字状に折り返されており、矩形断面の天井フレーム１３に上方から容易に引っ掛けることができるようになっている。また、中央高さ付近には、取付具２６が上方へ移動して天井フレーム１３から脱落するのを防止する脱落防止用係止爪２６が設けられており、天井フレーム１３の下面に当接するようになっている。
【００１９】
従って、照明器具１０を取り付ける際には、取付プレート２３を、上方から天井フレーム１３で囲まれたグリッド内に嵌め込み、取付具２６の上端２６ａを天井フレーム１３に引っ掛ける。取付プレート２３の幅が天井バー１５間隔よりも小さい場合には、取付プレート２３と天井バー１５との間に、幅狭に形成された天井パネル１６ｂ（図２（Ｃ）参照）を上方から嵌める。その後、支持ポスト２４を介して灯体２０を取付プレート２３に取り付ける。
これにより、従来のように、天井材の穴あけや吊りボルトの設置等が不用になるので、取付作業が簡単になる。
【００２０】
図３には、空調装置３０が取り付けられる場所における照明器具１０Ｂが示されている。この照明器具１０Ｂでは、取付プレート２３が空調装置３０のパネル３３の一部となっており、前述した場合と同ようにして、取付具２６によりパネル３３ごと天井フレーム１３に引っ掛ける。
【００２１】
これにより、空調装置３０と照明器具１０Ｂとが、１グリッド内に収まるので、天井意匠性を向上させることができる。この際、空調装置３０の吸込み口３１および噴出し口３２と干渉しないように取付プレート２３を取付けるようにして、空調装置３０の機能を害しないようにする。なお、噴出し口３２の形状によっては、空調装置３０から噴出される空気によって、照明器具１０の発熱を抑える効果もある。
【００２２】
以上、説明した照明器具１０、１０Ｂによれば、構造部材である梁１１から吊下げられている格子状の天井フレーム１３に、吊具１４を介して天井バー１５を設け、天井バー１５に天井パネル１６を取り付けて構成される天井１７に照明器具１０、１０Ｂを取り付ける際に、照明器具１０，１０Ｂの取付プレート２３を天井バー１５間隔に対応した大きさとしたので、天井パネル１６の代わりに取付プレート２３を天井バー１５に取付けることができる。このため、容易に照明器具１０、１０Ｂを移設することができ、部屋の用途に合わせた自由な照明配置にすることができる。
【００２３】
これに伴い、照明器具１０によって照らす部屋等の照明空間が、全体として明るい感じがする、すなわち「Ｆｅｕ値」を向上させることができる。なお、ここで、「Ｆｅｕ値」とは、照明空間を観察したときに、当該空間に対して感じられる明るさの総合評価である明るさ感覚指標の単位であり、この明るさ感覚指標は、照明認識視空間の概念における色モード境界輝度に基づいて算出され、この値が大きいほど照明空間の明るさ感が高くなり、明るく感じられる。
また、取付プレート２３は、取付具２６により強度および剛性の高い天井フレーム１３に取付けられるので、確実に照明器具１０，１０Ｂを取付けることができる。
【００２４】
次に、本発明にかかる照明器具の設置方法について説明する。
図４は照明器具の配置例を示す斜視図、図５は隣接する照明器具間を示す断面図であり、（Ａ）は連結具を取り付ける状態、（Ｂ）は連結具を取り付けた状態を示す、図６は間仕切りを設けた状態を示す断面図、図７は間仕切りおよび照明器具の配置例を示す下から見た平面図である。
【００２５】
図４および図５に示すように、前述した照明器具１０を天井１７に取り付ける際に、複数の照明器具１０を長手方向に所定の隙間３３を設けて配置するとともに、この隙間３３が天井バー１５の下方に位置するように照明器具１０を配置する。そして、隙間３３には連結具３４を取り付ける。連結具３４の上面は左右に突出した引っ掛け部３４ａを有しており、図５（Ａ）に示すように、連結具３４を隙間３３の上方から挿入して、引っ掛け部３４ａを隣接する照明器具１０の灯体２０に引っ掛けた後、ねじ３４ｂにより固定する。
【００２６】
これにより、長手方向に隣接する照明器具１０同士を連結具３４ａねじ３４ｂにより連結することができるとともに、照明器具１０の端部同士を連結具３４によって覆うことにより、複数の照明器具１０を直線に連結することができ、意匠性が向上する。
【００２７】
図６および図７に示すように、間仕切り３５を設ける場合には、隣接する照明器具１０間の連結具３４を取り外して、隙間３３に間仕切り３５を配置する。これにより、間仕切り３５は天井バー１５の真下に設けることができるので、間仕切り３５の上端部を天井バー１５に固定することができる。
【００２８】
以上、説明した照明器具の設置方法によれば、複数の照明器具１０を長手方向に配置する際に、長手方向に隣接する照明器具１０間に隙間３３を設け、この隙間３３が天井バー１５の下方に位置するようにしたので、部屋を仕切って使用する際に、間仕切３５を隙間３３位置に設けることにより、間仕切３５を天井面まで設けることができるとともに、間仕切３５の上端を天井バー１５に固定することができる。
【００２９】
なお、本発明の照明器具は、前述した実施形態に限定されるものでなく、適宜な変形，改良等が可能である。
【図面の簡単な説明】
【００３０】
【図１】本発明の実施形態にかかる照明器具およびその設置方法を示す斜視図
【図２】（Ａ）は照明器具の斜視図、（Ｂ）は照明器具の取付部を示す長手方向断面図、（Ｃ）は照明器具の取付部を示す幅方向断面図
【図３】（Ａ）は空調装置位置の照明器具の斜視図、（Ｂ）は同じく下方から見た正面図、（Ｃ）は同じく照明器具の概略断面図
【図４】照明器具の配置例を示す斜視図
【図５】隣接する照明器具間を示す断面図であり、（Ａ）は連結具を取り付ける状態、（Ｂ）は連結具を取り付けた状態を示す
【図６】間仕切りを設けた状態を示す断面図
【図７】間仕切りおよび照明器具の配置例を示す下から見た平面図
【図８】従来の照明器具の断面図
【符号の説明】
【００３１】
１０  照明器具
１１  梁（構造部材）
１３  天井フレーム
１４  吊具
１５  天井バー
１６  天井パネル
１７  天井
２０  灯体
２１  蛍光ランプ（光源）
２３  取付プレート
２６  取付具
３０  空調装置
３１  吸込み口
３２  噴出し口
３３  隙間
３４  連結具
【図１】
2009289439.tif 000003
【図２】
2009289439.tif 000004
【図３】
2009289439.tif 000005
【図４】
2009289439.tif 000006
【図５】
2009289439.tif 000007
【図６】
2009289439.tif 000008
【図７】
2009289439.tif 000009
【図８】
2009289439.tif 000010